(57)【特許請求の範囲】
【請求項１】
可撓性を有し、スカーフに巻回可能な帯状の留め具本体と、
この留め具本体の一の端部に付設される係止部と、
この留め具本体の他の端部に形成され、上記係止部に係脱可能な被係止部と、
この留め具本体のスカーフとの当接側面に配設される滑止部と
を備え、
上記留め具本体が、弾性復元力を有し、外力が作用しない状態において平板状であり、
上記係止部が鉤状に屈曲された鉤状部を有し、上記被係止部が穿孔から構成されているスカーフ留め具。
【請求項２】
上記滑止部が、上記留め具本体のスカーフとの当接側面に部分的に配設される請求項１に記載のスカーフ留め具。
【請求項３】
複数の上記被係止部を備える請求項１又は請求項２に記載のスカーフ留め具。
【請求項４】
請求項１、請求項２又は請求項３に記載のスカーフ留め具と、
スカーフと
を備えるスカーフセット。
【発明の詳細な説明】
【技術分野】
【０００１】
本発明は、スカーフ留め具及びスカーフセットに関する。
【背景技術】
【０００２】
従来、首回りの装飾等のためにスカーフが広く用いられている。このようなスカーフは単に首回りに巻き付けておくだけでは、歩行時の身体の揺れや風圧によってズレが生じたり、外れてしまう場合がある。
【０００３】
そのため、スカーフを首回りに巻いて使用する際にその状態を保持するための器具が提案されている。かかるスカーフの装着状態を保持するための器具としては、例えば、スカーフの両端部を挿通させるための挿通孔を形成したリング状部材からなる装飾用布保持具が提案されている（特開２０１０−１４２４８４号公報参照）。この装飾用布保持具は、柔軟性を有する軟質部材によって略Ｃ字型に構成されており、両端部を外側に離間させることで、スカーフを容易に取り外すことができるように構成されている。
【０００４】
しかし、この装飾用布保持具は、略Ｃ字型に構成され、かつ軟質部材によって形成されているため、スカーフが互いに離れる方向に引っ張られると、この装飾用布保持具の両端が容易に離間し、スカーフから脱落するおそれがある。また、この装飾用布保持具は、上述のように両端が離間可能に構成されているため、装着位置から容易にズレ落ち、スカーフを所定の位置で的確に固定することができない。
【先行技術文献】
【特許文献】
【０００５】
【特許文献１】特開２０１０−１４２４８４号公報
【発明の概要】
【発明が解決しようとする課題】
【０００６】
本発明は、かかる事情に鑑みてなされたもので、スカーフの所定の位置に容易かつ確実に装着可能であるとともに、装着位置からのズレ及び脱落を防ぎ、スカーフを的確に保持することができるスカーフ留め具及びこのスカーフ留め具を有するスカーフセットの提供を目的とするものである。
【課題を解決するための手段】
【０００７】
上記課題を解決するためになされた本発明に係るスカーフ留め具は、
可撓性を有し、スカーフに巻回可能な帯状の留め具本体と、
この留め具本体の一の端部に付設される係止部と、
この留め具本体の他の端部に形成され、上記係止部に係脱可能な被係止部と、
この留め具本体のスカーフとの当接側面に配設される滑止部と
を備え、
上記留め具本体が、弾性復元力を有し、外力が作用しない状態において平板状であり、
上記係止部が鉤状に屈曲された鉤状部を有し、上記被係止部が穿孔から構成されていることを特徴とする。
【０００８】
当該スカーフ留め具は、帯状の留め具本体が可撓性を有するため、首回りに巻いたスカーフの一方側と他方側とを合わせた部分に留め具本体を容易に巻回することができる。また、当該スカーフ留め具は、スカーフに留め具本体を巻回した状態で係止部を被係止部に係止することによって、スカーフに容易かつ確実に装着することができる。さらに、当該スカーフ留め具は、留め具本体が弾性復元力を有していることから、係止部と被係止部との係止状態が確実に維持され、装着位置からのズレ及び脱落を防止してスカーフを的確に保持することができる。加えて、当該スカーフ留め具は、留め具本体のスカーフとの当接側面に付設される滑止部を有しているので、装着位置からのズレ及び脱落をさらに確実に防止することができる。
【０００９】
また、当該スカーフ留め具は、上記滑止部をスカーフの当接側面の全面に亘って配設することも可能であるが、上記滑止部を上記留め具本体のスカーフとの当接側面に部分的に配設することが好ましい。すなわち、スカーフの当接側面の全面に亘って上記滑止部を配設した場合には、留め具本体をスカーフに巻回すべく撓ませた際、滑止部が留め具本体の撓みを阻害するおそれがある。これに対して、滑止部をスカーフの当接側面の一部に配設することにより、留め具本体の可撓性が好適に維持され、当該スカーフ留め具をスカーフに容易且つ確実に巻回することができる。
【００１０】
また、当該スカーフ留め具は、複数の被係止部を備えることが好ましい。複数の被係止部を備えることにより、係止部を係止する被係止部を選択することができ、スカーフの大きさや厚さ等に応じて、装着したスカーフを好適に固定できる被係止部を選択することができる。
【００１１】
また、本発明に係るスカーフセットは、上記構成からなるスカーフ留め具と、スカーフとを備える。
【００１２】
当該スカーフセットは、帯状の上記留め具本体が可撓性を有するため、首回りに巻いたスカーフの一方側と他方側とを合わせた部分に上記留め具本体を容易に巻回することができる。また、当該スカーフセットは、上記スカーフ留め具がスカーフに上記留め具本体を巻回した状態で係止部を被係止部に係止することによって、スカーフに容易かつ確実に装着することができる。さらに、当該スカーフセットは、上記留め具本体が弾性復元力を有していることから、係止部と被係止部との係止状態が確実に維持され、装着位置からのズレ及び脱落を防止して、スカーフを確実に保持することができる。加えて、当該スカーフセットは、上記スカーフ留め具が上記留め具本体のスカーフとの当接側面に付設される滑止部を有しているので、装着位置からのズレ及び脱落をさらに確実に防止することができる。
【発明の効果】
【００１３】
以上説明したように、本発明のスカーフ留め具及びスカーフセットは、スカーフの所定の位置に容易かつ確実に装着可能であるとともに、装着位置からのズレ及び脱落を防ぎ、スカーフを的確に保持することができる。
【図面の簡単な説明】
【００１４】
【図１】本発明の一実施形態に係るスカーフ留め具を湾曲形状にした模式的斜視図である。
【図２】図１のスカーフ留め具の模式的平面図である。
【図３】図１のスカーフ留め具の模式的背面図である。
【図４】図１のスカーフ留め具の模式的側面部分拡大図である。
【図５】図１のスカーフ留め具の装着状態を示した図である。
【発明を実施するための形態】
【００１５】
以下、適宜図面を参照しつつ本発明の実施の形態を説明する。
【００１６】
＜スカーフセット＞
当該スカーフセットは、スカーフ及びスカーフ留め具１を備える。
【００１７】
当該スカーフセットのスカーフは公知のものを用いることができ、特に限定されない。
＜スカーフ留め具＞
【００１８】
当該スカーフ留め具１は、図１に示すように、留め具本体２、係止部３、複数の被係止部４及び滑止部５を備える。
【００１９】
（留め具本体）
留め具本体２は、帯状に成形され、可撓性を有しておりスカーフに巻回可能である。留め具本体２は、弾性復元力を有し、外力が作用しない状態では平板状をなしている。
【００２０】
留め具本体２の形成材料としては、可撓性を有するものであればよく、特に限定されないが、例えば、ポリプロピレン、ポリエチレン、ポリエチレンテレフタレート等の合成樹脂を採用することができる。
【００２１】
留め具本体２の帯状の長手方向の長さは、特に限定されないが、４ｃｍ以上９ｃｍ以下が好ましい。留め具本体２の長手方向の長さが上記下限未満の場合、スカーフに巻回するための長さが不足する可能性がある。逆に、長手方向の長さが上記上限を超える場合、スカーフ留め具１がスカーフから滑り落ちる可能性がある。
【００２２】
留め具本体２の帯状の短手方向の長さは、特に限定されないが、１ｃｍ以上３ｃｍ以下が好ましい。留め具本体２の短手方向の長さが上記下限未満の場合、スカーフを巻回する際にスカーフ留め具１を扱うのが困難となる可能性がある。逆に、短手方向の長さが上記上限を超える場合、スカーフ留め具１を用いて装着したスカーフの装飾性を損なうおそれがある。
【００２３】
留め具本体２は、長手方向に沿った辺（図２及び図３の上辺及び下辺）が波状に湾曲して形成される。
【００２４】
また、留め具本体２の帯状の厚さは、０．０２ｃｍ以上０．３ｃｍ以下が好ましい。留め具本体２の厚さが上記範囲内の場合、スカーフに巻回する際のスカーフ留め具１の取扱い性は損なわれない。
【００２５】
（係止部）
係止部３は、図２に示すように、留め具本体２の一の端部に付設される。この係止部３は、留め具本体２の他端部に形成される被係止部４に係止されることで、留め具本体２のスカーフへの巻回状態を保持することができる。
【００２６】
係止部３の形状は、被係止部４に係止することができれば足り、特に限定されないが、鉤状部材を採用することができる。また、図４に示すように、係止部３は、鉤状に折曲された鉤状部３ａがスカーフとの当接面側に向くよう形成され、スカーフ留め具１をスカーフに巻回した状態において、被係止部４に係止される。
【００２７】
係止部３の形成材料は、鉤状部材として公知のものを用いることができ、特に限定されないが、鉄、アルミニウム等の金属や合成樹脂等を採用することができる。
【００２８】
また、係止部３の大きさは、特に限定されないが、長手方向が０．５ｃｍ以上１．５ｃｍ以下であることが好ましい。係止部３の大きさが上記下限未満の場合、係止部３が小さすぎて被係止部４に係止するのが困難となる可能性がある。逆に、係止部３の大きさが上記上限を超える場合、スカーフ留め具１によりスカーフを装着した際、係止部３の鉤状部３ａが被服に引っ掛かることにより、被服を傷つける可能性がある。
【００２９】
（被係止部）
被係止部４は、図２に示すように、留め具本体２の他の端部に形成された複数の穿孔から構成されている。被係止部４を構成する複数の穿孔は、留め具本体２の他の端部において、留め具本体２の長手方向に沿って配列されている。
【００３０】
被係止部４の形状は、係止部３が係止される形状であればよく、特に限定されないが、円形状、楕円形状、矩形状等を採用することができる。
【００３１】
被係止部４の大きさは、係止部３が係止される大きさであればよく、特に限定されないが、被係止部４の形状が円形状である場合においては、半径が０．１ｃｍ以上０．５ｃｍ以下が好ましい。被係止部４の大きさが上記下限未満の場合、被係止部４が小さすぎて係止部３を被係止部４に係止するのが困難となる可能性がある。逆に、被係止部４の大きさが上記上限を超える場合、スカーフに巻回した状態のスカーフ留め具１の装飾性を損なう可能性がある。
【００３２】
また、被係止部４の穿孔の周縁部に、穿孔の周縁部を保護するためのリング状の保護部材が形成されてもよい。この保護部材の形成材料は、特に限定されないが、係止部３と同様の材料を採用することができる。これにより、係止部３が被係止部４に係止される際に生じる穿孔の周縁部の損傷を防止することができる。
【００３３】
（滑止部）
滑止部５は、図３に示すように、留め具本体２のスカーフとの当接側面に配設される。滑止部５は、スカーフ留め具１をスカーフに巻回した状態において、スカーフ留め具１とスカーフとのズレを防止する。
【００３４】
また、滑止部５は、留め具本体２のスカーフとの当接側面に部分的に配設される。具体的には、図３及び図４に示すように、留め具本体２のスカーフとの当接側面から複数の突起５ａが突設されており、この複数の突起５ａが互いに隙間をもって配設されており、この複数の突起５ａから滑止部５が構成されている。なお、図示した例では、突起５ａは菱形状に成形され、複数の突起５ａが留め具本体２の短手方向に二列で、長手方向に沿って隙間をもって配列されている。
【００３５】
滑止部５（突起５ａ）の形成材料としては、スカーフ留め具１とスカーフとのズレを防止できればよく、特に限定されないが、スポンジ状の合成樹脂やゴム等の弾性樹脂を採用することができる。なお、滑止部５（突起５ａ）は弾性変形可能な素材から構成することが好ましく、これにより留め具本体２をスカーフに巻回した際に滑止部５が弾性変形することで、スカーフ留め具１とスカーフとのズレをより効果的に防止することができる。
【００３６】
また、滑止部５の厚さ（突起５ａの突出高さ）としては、特に限定されないが、０．１ｃｍ以上０．５ｃｍ以下とすることができる。滑止部５の厚さが上記下限未満の場合、当該スカーフ留め具１とスカーフとのズレを防止できないおそれがある。逆に、滑止部５の厚さが上記上限を超える場合、スカーフ留め具１をスカーフに巻回した際のスカーフ留め具１の装飾性を損なうおそれがある。
【００３７】
スカーフ留め具１を用いたスカーフの装着方法としては、首回りに巻いたスカーフの一方側と他方側とを合わせた部分にスカーフ留め具１を巻回し、係止部３を被係止部４に係止する。
【００３８】
具体的には、スカーフの一方側と他方側と合わせた部分に、スカーフ留め具１の当接側面を巻回する。そして、被係止部４を構成する穿孔のうち、スカーフを好適に固定できる穿孔を選択し、選択された穿孔の周縁に係止部３の鉤状部３ａを掛け止めることにより、係止部３を被係止部４に係止する。このとき、留め具本体２の弾性復元力によって、鉤状部３ａと穿孔との係合部が互いに引っ張り合い、係止部３と被係止部４とは確実に係止される。
【００３９】
＜利点＞
当該スカーフ留め具１においては、帯状の留め具本体２が可撓性を有するため、首回りに巻いたスカーフの一方側と他方側とを合わせた部分に留め具本体を容易に巻回することができる。また、当該スカーフ留め具１は、スカーフに留め具本体２を巻回した状態で係止部３を被係止部４に係止することによって、スカーフに容易かつ確実に装着することができる。
【００４０】
当該スカーフ留め具１は、留め具本体２が弾性復元力を有していることから、係止部３を被係止部４に係止した際、係止部３の鉤状部３ａと被係止部４を構成する穿孔との係合部が互いに引っ張り合い、係止部３と被係止部４とが確実に係止され、装着位置からのズレ及び脱落を防止してスカーフを的確に保持することができる。
【００４１】
当該スカーフ留め具１は、複数の被係止部４が、留め具本体の長手方向に沿って形成されているので、スカーフの大きさや厚さ等に応じて、装着したスカーフを好適に固定できる被係止部４を選択することができる。
【００４２】
当該スカーフ留め具１は、留め具本体２のスカーフとの当接側面に付設される滑止部５を有しているので、装着位置からのズレ及び脱落をさらに確実に防止することができる。また、滑止部５は部分的に付設されるため、留め具本体１の可撓性を阻害し難い。
【００４３】
さらに、当該スカーフ留め具１は、留め具本体２の長手方向の辺が波状に湾曲して形成されているので、スカーフに巻回した際に留め具本体２の波状の湾曲した部分が引っ掛かりやすく、当該スカーフ留め具１とスカーフとのズレをより防止することができる。
【００４４】
＜その他の実施形態＞
本実施形態は上記構成からなり、上述の利点を奏するものであったが、本発明は上記実施形態に限定されるものではなく、本発明の意図する範囲内において適宜設計変更可能である。
【００４５】
上記実施形態では、当該スカーフ留め具１の留め具本体２の形成材料として、ポリプロピレン、ポリエチレン、ポリエチレンテレフタレート等の合成樹脂を採用可能であることを説明したが、皮革製品を採用することもできる。皮革製品は、天然皮革、人造皮革とも採用可能である。これにより、装飾性に優れた当該スカーフ留め具１を形成することができる。
【００４６】
また、留め具本体２は、帯状の紐であってもよい。用いられる紐としては、木綿、麻、絹や合成樹脂の紐を用いることができる。
【００４７】
また、上記実施形態では、係止部３は鉤状であることを説明したが、本発明はこれに限定されるものではない。例えば、係止部３にフック状に起毛された面ファスナーを採用することができる。そして、被係止部４にループ状に起毛した面ファスナーを採用することで、係止部３を被係止部４に係止することができる。
【００４８】
また、係止部３及び被係止部４は、スナップボタンを採用することもできる。留め具本体２のスカーフとの当接側面の一の端部にスナップボタンの凸側を配設し、留め具本体２の表面側（スカーフとの当接側面の反対面）の他の端部にスナップボタンの凹側を配設する。係止部３及び被係止部４にスナップボタンを採用することにより、簡便に係止部３を被係止部４に係止することができる。
【００４９】
係止部３及び被係止部４に配設されるスナップボタンとしては、特に限定されないが、公知のボタンを採用することができる。例えば、金属製、樹脂製のスナップボタンを採用することができる。また、スナップボタンの大きさは、特に限定されないが、スナップボタンの形状が円形状である場合において、円形状の半径が０．２ｃｍ以上１．０ｃｍ以下であることが好ましい。
【００５０】
当該スカーフ留め具１の被係止部４として、留め具本体２の他の端部に複数の穿孔が形成されるものを説明したが、本発明はこれに限定されるものではない。当該スカーフ留め具１の被係止部４が、少なくとも一つの穿孔によって形成されるものであれば本発明の意図する範囲内である。
【００５１】
また、当該スカーフ留め具１においては、滑止部が、スカーフとの当接側面の全面に配設されていてもよい。また、滑止部５は留め具本体２と一体成型されているものであってもよく、例えば帯状の留め具本体２と、この留め具本体２の一方の面から突設された複数の突起（滑止部）とが合成樹脂等によって一体成型されているものも本発明の意図する範囲内である。
【００５２】
さらに、上記実施形態では留め具本体２の長手方向に沿った辺を波状に湾曲したものについて説明したが、本発明はこれに限定されるものではなく、上記辺が直線状に設けられているものも本発明の意図する範囲内である。さらには、留め具本体２の表面、つまりスカーフとの当接側面の反対側の面に、ビーズ等の装飾性を有する部材を配設してもよい。これにより、当該スカーフ留め具１は、スカーフに巻回した際における装飾性を向上させることができる。
【産業上の利用可能性】
【００５３】
以上のように、本発明のスカーフ留め具及びスカーフセットは、スカーフの所定の位置に容易かつ確実に装着することができると共に、装着位置からのズレ及び脱落を防ぎ、スカーフを的確に保持することができるため、スカーフを装着する際に好適に用いられる。
【符号の説明】
【００５４】
１  スカーフ留め具
２  留め具本体
３  係止部
３ａ  鉤状部
４  被係止部
５  滑止部
５ａ  突起
【要約】
【課題】本発明は、スカーフの所定の位置に容易かつ確実に装着可能であるとともに、装着位置からのズレ及び脱落を防ぎ、スカーフを的確に保持することができるスカーフ留め具及びスカーフセットの提供を目的とする。
【解決手段】本発明のスカーフ留め具は、可撓性を有し、スカーフに巻回可能な帯状の留め具本体と、この留め具本体の一の端部に付設される係止部と、この留め具本体の他の端部に形成され、上記係止部に係脱可能な被係止部と、この留め具本体のスカーフとの当接側面に配設される滑止部とを備え、上記留め具本体が、弾性復元力を有し、外力が作用しない状態において平板状であることを特徴とする。上記滑止部を上記留め具本体のスカーフとの当接側面に部分的に配設することが好ましい。当該スカーフ留め具は、複数の被係止部を備えることが好ましい。本発明のスカーフセットは、上述した構成のスカーフ留め具と、スカーフとを備える。
【選択図】図１【図１】
0005394586.tif 000002
【図２】
0005394586.tif 000003
【図３】
0005394586.tif 000004
【図４】
0005394586.tif 000005
【図５】
0005394586.tif 000006